(57)【要約】      （修正有）【課題】体温を短時間で効果的に下げることができて、暑気や寒気から動物を保護する保温保冷具を提供する。【解決手段】円形状に形成された本体１に帯状のバンド２を動物の前足の上部に巻きつける様に回し、本体表面Ａに取り付けられた留め具３に動物の体形に合わせ、動物の胴体の前方部分にくるよう固定する。伸縮可能なバンド４を動物の腹部を通り反対側の本体部分に取り付けた留め具５にかけ、動物が動いた際でも固定位置からずれないように補助する。本体１の生地には、メッシュ生地を使用して通気性を良くし、保冷剤からの冷気と外気温の差によって生ずる結露を極力抑えることができる様にする。本体裏面Ｂに保温保冷剤の充填された袋を収納するポケット６を取り付ける。ポケットの取り付け位置の本体中央部側を出し入れ口とする。【選択図】図１
0003152982.tif 000002
【実用新案登録請求の範囲】
【請求項１】
動物の体温コントロールに対して保温・保冷剤を収納するため袋状の本体と、動物の身体に装着固定するために調節可能な伸縮性バンドと、体温調節に使用するための保温・保冷剤とで構成されていることを特徴とている動物用体温調節用具。
【請求項２】
保温・保冷剤を収納するため袋状の本体は、動物の身体と接触する側において、通気性の良いメッシュ地部材と、装着した部位からのずれ防止のために滑り止め効果を示す布地の部材と、保冷剤による結露を発生しにくくする織布の部材とを組み合わせ縫製されていことを特徴とする請求項１記載の動物用体温調節用具。
【請求項３】
動物の身体に装着固定するために調節可能な伸縮性バンドは、伸縮自在でありながら、滑り止め効果を持つゴム糸を織り込んだ繊維、又は不織布である請求項１または２記載の動物用体温調節用具。
【請求項４】
保温・保冷剤を収納するため袋状の本体である前記動物用体温調節用具は、動物のフィットした寸法であって、縦１５０ｍｍ〜６００ｍｍで、横１５０〜１０００ｍｍで、台形、正方形、長方形、三角形、円形の袋状、または、円形状であることを特徴とする請求項１〜３いずれかに記載の動物用体温調節用具。
【請求項５】
保温・保冷剤を収納するため袋状の本体は、動物の胴体部分に装着することを目的として、薄さ５ｍｍ〜３０ｍｍ・重さ５０ｇ〜１０００ｇの軽量化をしていることを特徴とする請求項１〜４のいずれかに記載の動物用体温調節用具。
【請求項６】
保温・保冷剤を収納するため袋状の本体は、動物の胴体部分の上に装着することを目的として、デザイン性の模様、文字、又は形状を入れたものであることを特徴とする請求項１〜４記載の動物用体温調節用具。
【請求項７】
体温調節に使用するための保温・保冷剤は、高吸水性樹脂に植物抽出物を混合させたものを使用することで、容器が破損し保冷剤として使用不可になった際や必要が無くなった際に消臭剤として再利用することができることを特徴とする請求項１〜６のいずれかに記載の動物用体温調節用具。
【考案の詳細な説明】
【技術分野】
【０００１】
本考案は動物用体温調節用具、より詳しくは、保温・保冷剤を利用した用具を動物の身体に装着・固定して保温・保冷剤からの熱気・冷気を体に伝え、それにより体温の調節を補助することを目的とした動物用体温調節用具に関するものである。
【背景技術】
【０００２】
夏場の炎天下での活動や高温多湿の条件下での運動は動物にとって過酷である。運動効率が悪いばかりか、健康を損ない酷い場合は生命を脅かす原因となる。また、近年の環境問題、特に地球温暖化に伴い気温上昇が問題視されている中、地面からの日差しの照り返しなど地面に近い場所で活動する動物には、体感温度がより高くなり、快適性・健康性を悪くしている場合もある。例えばペット用冷却マットやペット用冷却ベッドなどは、動物が上に横たわる状況で冷却することを目的としているため、本考案とは使用目的が異なる。（特許文献１，２，３，４参照）
【先行技術文献】
【特許文献】
【０００３】
【特許文献１】特開２００５−３４１８８４号
【特許文献２】特開２００１−２６９０７４号
【特許文献３】特開２０００−３２４９７１号
【特許文献４】特開平０８−１１００６５号
【考案の概要】
【考案が解決しようとする課題】
【０００４】
動物の体を冷やす方法として短時間で体温を下げるために、従来の方法では、即効性に欠ける場合・本体を体に密着させきれない場合・装着や脱着に時間がかかる場合がある。それゆえに、考案の主たる目的は、短時間で装着・脱着ができ、動物に密着させることで、暑気や寒気から動物を保護することのできる、動物用保温保冷具を提供することである。
【課題を解決するための手段】
【０００５】
動物の体温コントロールに対して保温・保冷剤を収納するため袋状の本体と、動物の身体に装着固定するために調節可能な伸縮性バンドと、体温調節に使用するための保温・保冷剤とで構成されている動物用体温調節用具である。
【０００６】
保温・保冷剤を収納するため袋状の本体は、動物の身体と接触する側において、通気性の良いメッシュ地部材と、装着した部位からのずれ防止のために滑り止め効果を示す布地の部材と、保冷剤による結露を発生しにくくする織布の部材とを組み合わせ縫製されている。
【０００７】
動物の身体に装着固定するために調節可能な伸縮性バンドは、伸縮自在でありながら、滑り止め効果を持つゴム糸を織り込んだ繊維、又は不織布である。
【０００８】
保温・保冷剤を収納するため袋状の本体である前記動物用体温調節用具は、動物のフィットした寸法であって、縦１５０ｍｍ〜６００ｍｍで、横１５０〜１０００ｍｍで、台形、正方形、長方形、三角形、円形の袋状、または、円形状である。
【０００９】
保温・保冷剤を収納するため袋状の本体は、動物の胴体部分に装着することを目的として、薄さ５ｍｍ〜３０ｍｍ・重さ５０ｇ〜１０００ｇの軽量化をしている。
【００１０】
保温・保冷剤を収納するため袋状の本体は、動物の胴体部分の上に装着することを目的として、デザイン性のある模様、文字、又は形状を入れたものである動物用体温調節用具である。
【００１１】
ベルトで動物の体に密着させた本体は、少々体を動かしてもずれることがなく、しかも付け外しも簡単で短時間に出来る。また、密着させることで、運動・活動中も冷却・保温が可能となる。
【００１２】
本考案は、動物の体の少なくとも一部に沿うよう形成された本体と、使用前に冷却または加熱することにより所定時間保温保冷効果を発揮する保温保冷剤の充填された袋と、本体に形成され、保温保冷剤の充填された袋を出し入れ自在に収納するためのポケットとを含む、動物用保温保冷具である。この動物用保温保冷具では、保温保冷剤を充填した袋を基材に形成されたポケットに出し入れ自在に収納して用いるものなので、夏季は保冷具として用いることができ、冬季は保温具として用いることができる。
【００１３】
本考案において、保温保冷剤の充填された袋を収納するポケットおよび袋は、通気性の良いメッシュ生地等で形成されることが好ましい。
この場合には、保温保冷剤からの熱気・冷気が浸透しやすく、即効性のよい保温保冷具を提供することができる。すなわち、袋を形成する生地等が厚い場合には、保温保冷剤からの熱気・冷気を遮断して、効率よく動物の体を保温・冷却することができない。そのため、生地に通気性の良いものを使用し、熱気・冷気を通しやすくし、短時間で効率的に保温・冷却できるようにした方が良い。
【００１４】
本考案において、本体部分にポケットが複数形成され、それぞれのポケットに保温保冷剤の充填された袋が出し入れ自在に収納されることが好ましい。この場合には、首筋、肩、上背、中背、下背、胴体部、腹部など、被保温保冷動物の体の各部に適宜対応させて複数の蓄熱蓄冷剤入り袋を配置することも可能である。
【００１５】
本考案において、本体には複数のポケットが被保温保冷動物の身長方向に配列されて形成され、本体の複数のポケット間のポケットの設けられない部分を折り曲げ自在のヒンジ部としてもよい。この場合には、ヒンジ部が設けられているので、基材が動物の体の形状に沿いやすくなり、よりフィット感を高めることができ、また、運動の際の快適性・追従性が増す。
【００１６】
本考案において、本体を形成する基材には、畜冷剤からの冷気と外気温との差によって生じる結露を発生させにくい生地・素材を使用することが好ましい。この場合には、結露によって濡れることを抑えられ、より快適な使用環境を作ることが可能になる。
【００１７】
本考案において、本体と動物を固定するベルトは、動物の前足部分を包み込むように回し、動物の首筋方向に向けて本体に取り付けた留め具に掛け、本体を固定することが好ましい。また、本体中央部の側面にもベルトを取り付け、動物の腹部を経由し本体中央部の向こう側面にある留め具に掛けることで、より装着時のずれを防止することができる。
【００１８】
その際、ベルトに伸縮性のある素材を使用し、さらに長さを調整する器具を使用することで、動物の体形に合わせてベルトの長さが調節可能となり、また、運動時の追従性向上の点においてもより適している。別の方法として、留め具に面チャックやボタンなどを使用することで、ベルトの長さの調整をすることも出来る。
【００１９】
本考案において、ベルトや本体の動物の体に接触する側に滑り止め機能の付いた素材を使用することで、動物が激しい運動をした際でも、本体がずれることを防止することが出来て、好ましい。
【００２０】
本体内側に保温保冷剤の充填された袋を収納するポケットおよび袋を形成することで、動物の激しい運動時でも保温保冷剤の充填された袋が収納するポケットおよび袋から飛び出すことを防ぐ。
【００２１】
保冷剤の内容物としては、高吸水性樹脂製のものが冷却効果時間が長く持続し適している。また、高吸水性樹脂に植物抽出物を混合させたものを使用することで、容器が破損し保冷剤として使用不可になった際や必要が無くなった際に消臭剤として再利用することができ環境にも優しい。その場合の利用方法としては、保冷剤の内容物を皿等に取り出し下駄箱や生ごみ周辺など、匂いの気になる場所に置いて使用する。
【００２２】
本考案において、本体部分に散歩時に使用する綱を取り付けるための部材を固定しておくことで、同体全体で綱から来る衝撃を受け止めることができ、首輪に取付けるよりも動物に衝撃が少なく好ましい。
【００２３】
保冷剤は、家庭用冷蔵冷凍庫の冷凍室で繰り返し何度でも凍らせて使用することができるものが経済性などの観点から実用上、好ましい。
【考案の効果】
【００２４】
本体をベルトで動物の体に密着させるため、体を動かしてもずれることがなく、また、装着・脱着が容易に短時間で出来る。また、保冷剤は、家庭用冷蔵冷凍庫の冷凍室で繰り返し何度でも凍らせて使用することができるので、冷却用具として繰り返し使用することも可能となり、経済的である。
【００２５】
本考案によれば、夏季や冬季に、被保温保冷動物を暑気や寒気から保護することができる保温保冷具を提供することができる。この保温保冷具は構造がシンプルなので低コストであり、犬の散歩時などに用いるのに好適であった。犬もいやがらず、喜んで装着した。
本体とベルトの一部に取り付けた面チャックなどの留め具により着脱可能であり、被保温保冷動物と本体とをベルトを用いて動物の体に装着することができた。
【図面の簡単な説明】
【００２６】
【図１】動物用体温調節用具の展開図
【図２】動物の装着例１
【図３】動物の装着例２
【考案を実施するための形態】
【００２７】
図１で示す動物用体温調整用具は、円形状に形成された本体１に帯状のバンド２を動物の前足の上部に巻きつける様に回し、本体表面Aに取り付けられた留め具３に動物の体形に合わせ、図２の様に動物の胴体の前方部分にくるよう固定する。
【００２８】
伸縮可能なバンド４を動物の腹部を通り反対側の本体部分に取り付けた留め具５にかけ、動物が動いた際でも固定位置からずれないように補助する。
【００２９】
本体１の生地には、メッシュ生地を使用して通気性を良くし、保冷剤からの冷気と外気温の差によって生ずる結露を極力抑えることができる様にする。本体裏面Bに保温保冷剤の充填された袋を収納するポケット６を取り付ける。ポケットの取り付け位置の本体中央部側を出し入れ口とする。
【００３０】
ポケットの生地には、保冷剤からの冷気が伝わりやすいように通気性の良いメッシュ生地を使用する。
【００３１】
保冷剤には、高吸水樹脂性のものを使用し、縦３０ｍｍ〜２００ｍｍ、横５０ｍｍ〜３００ｍｍ、厚さ５ｍｍ〜３０ｍｍの円形、長方形、三角形、正方形、台形に形成されているものを使用する。
【００３２】
この動物用体温調整用具の使用方法について説明する。まず、家庭用冷蔵冷凍庫で１０時間程度凍らせた保冷剤を図１で示す円形状の本体１の裏面Bに取り付けられたポケット６に収納し、被保冷動物の胴体部に乗せ、帯状のバンド２を前足の上部に巻きつけるように回し本体１の表面Aにある留め具３に被保冷動物の体形に合わせ留める位置を調節し、固定する。
【００３３】
次に伸縮可能なバンド４を被保冷動物の腹部より本体１の反対側にある留め具５にかけ、被保冷動物が動いた際にも本体１が所定の場所からずれないように固定する。保冷剤が解け冷却効果が無くなった際は、凍った保冷剤と交換し使用することで、長時間の使用が可能になる。
【実施例１】
【００３４】
装着方法は、図２の通り。図１で示す動物用体温調整用具は、縦２００ｍｍ横３００ｍｍ厚さ２０ｍｍ（保冷剤収納時）の円形状に形成されており、被保冷動物と直接触れる側に保冷剤を収納するためのポケット６が向い合せに２か所取付けられている。
【００３５】
図２のように本体１を被保冷動物の背骨を中心に胴体の両側に被せることで、ポケット６に収納した保冷剤の冷気が被保冷動物に伝わり、体温上昇を抑制することができる。
【００３６】
装着する動物の体型に合わせ、帯状のバンド２を留め具３の固定する場所を変えることで調整する。
【００３７】
薄く、軽くしかも動物の体に密着できるので、いかなる運動にも対応でき、しかも、それらの運動で所定の位置よりずれてしまうこともない。
【００３８】
保冷剤は、縦７５ｍｍ横１００ｍｍで、高吸水樹脂性等の内容物が４０ｇの容量で形成されている。また、保冷剤は、家庭用冷蔵冷凍庫で繰り返し凍らせて使用できる。さらに、植物抽出物を混合させたものを使用することで、容器が破損し保冷剤として使用不可になった際や必要が無くなった際に消臭剤として再利用することができ環境にも優しく、好ましい。
【実施例２】
【００３９】
実施例１と同様な動物用体温調整用具の動物と接触する側に取り付けられたポケット６に温熱材を収納することで、温熱材より発される熱気が動物に伝わり、動物の体温を高めることができる。
【００４０】
温熱材に常温でも遠赤外線を強く放射する天然鉱石をパウダー化し樹脂に練りこんで、ポリエチレン発泡シートや不織布シートに形成したフレスコシート等で製作した温熱材を使用すれば、遠赤外線の効果で血行・代謝が向上し、体温が上昇する。また、低温火傷の心配もなく、しかも、交換不要で長時間使用可能となり適している。
【実施例３】
【００４１】
実施例１以外の形状として、帯状のバンド２を動物の胸部でたすき掛けのように回し、前足の内側を経由し、動物用体温調整用具の本体１の表面Aに取り付けてある留め具３によって固定するものも適している。
【実施例４】
【００４２】
本体１の表面Aに保冷剤を収納するためのポケット６を取り付けた場合には、保冷剤の冷却効果がなくなってきた際、予備に凍らせておいた交換用保冷剤との入れ替え作業を素早く、しかも簡単に行うことが可能となる。
【実施例５】
【００４３】
実施例１および実施例３で使用する保冷剤の内容物としては、高吸水性樹脂製のものが、冷却効果時間が長く持続し適している。また、高吸水性樹脂に植物抽出物を混合させたものを使用することで、容器が破損し保冷剤として使用不可になった際や必要が無くなった際に消臭剤として再利用することができ環境にも優しい。
その場合の利用方法としては、保冷剤の内容物を皿等に取り出し下駄箱や生ごみ周辺など、匂いの気になる場所に置いて使用する。
【実施例６】
【００４４】
図３で示すように、実施例１と同様の形状に散歩時に使用する綱８を取り付けるための金具７を本体部分に固定しておくことで、散歩時に同体全体で綱から来る衝撃を受け止めることができ、首輪に取付けるよりも動物に衝撃が少なく動物に優しい。
【符号の説明】
【００４５】
１．本体
２．帯状のバンド
３．留め具
４．伸縮性バンド
５．留め具
６．保温保冷剤収納ポケット
７．金具
８．綱
【図１】
0003152982.tif 000003
【図２】
0003152982.tif 000004
【図３】
0003152982.tif 000005